(57)【要約】【課題】リール取付脚部を介して釣竿に取付けられるリール本体の固定保持状態を安定させることのできる魚釣用リールを提供すること【解決手段】リール本体１８と一体成形されたリール取付脚部３４を有し、このリール取付脚部３４を介して釣竿８に装着される魚釣用リール１０であって、釣竿８のリールシート８ａに載置される前記リール取付脚部３４の底面４０，４２に、この底面の内側から先端に向けて溝部４４が形成されている魚釣用リール。【選択図】    図２
2007202453.tif 000002
【特許請求の範囲】
【請求項１】
リール本体と一体成形されたリール取付脚部を有し、このリール取付脚部を介して釣竿に装着される魚釣用リールであって、釣竿の装着部に載置される前記リール取付脚部の底面に、この底面の内側から先端に向けて溝部が形成されていることを特徴とする魚釣用リール。
【請求項２】
前記溝部が形成されるリール取付脚部は、釣竿の前後方向に沿って分割形成されている請求項１に記載の魚釣用リール。
【発明の詳細な説明】
【技術分野】
【０００１】
本発明は、リール本体と一体成形されたリール取付脚部を介して釣竿に装着される魚釣用リールに関する。
【背景技術】
【０００２】
例えば両軸受型リールである魚釣用リールは、釣糸を巻回するスプールをリール本体で回転自在に支えると共に、このリール本体のフレーム下部に設けたリール取付脚部を釣竿のリール脚装着部に取付け固定するのが一般的である。
【０００３】
このようなリール取付脚部には、リール本体のフレームとは別体部材として形成し、これをフレーム下部に例えばカシメ固定するものの他に、特に小型の魚釣用リールの場合等には、金型成形により、リール取付脚部をフレームと一体成形するものがある（例えば特許文献１参照）。
【０００４】
また、リール本体と釣竿を可能な限り近接させて配置するために、リール取付脚部を分割し、前部取付脚部と後部取付脚部との間の長手方向中央部に形成した間隙部によりスプールとの干渉を防止し、魚釣用リールの全体を小型化するようにしたものもある（例えば特許文献２参照）。
【特許文献１】実公平２−２９９１１号公報
【特許文献２】実公平６−３９５８５号公報
【発明の開示】
【発明が解決しようとする課題】
【０００５】
しかし、リール取付脚部を固定する釣竿の装着部は、周方向に沿う中央部が外方に突出した中高構造のリール脚載置面と、リール取付脚部のそれぞれの端部を収容してこのリール取付脚部をリール脚載置面に押圧固定する固定フードおよび移動フードが設けられている。このため、リール取付脚部を、独立した部材として形成するのではなく、リール本体のフレームと一体成形することにより、小型の魚釣用リールを軽量化し、更に、リール取付脚部を分割構造とすることによって、より軽量化しつつ魚釣用リール全体の小型化を図ることが可能となるとしても、リール取付脚部のそれぞれの端部は、釣竿の装着部に設けられた固定フードおよび移動フードの収容部の形状に適応させるために、先端に向けて薄肉状に形成される。
【０００６】
このため、リール取付脚部は、成形時の肉厚の相違による熱収縮の影響を受け、薄肉に形成される先端側が変形し易い（成形時のヒケによる変形）。リール取付脚部が変形すると、このリール取付脚部に一体化されたリール本体の釣竿に対する固定保持状態が安定せず、魚釣り操作に支障を来す等の不都合がある。
【０００７】
本発明は、このような事情に基づいてなされたもので、リール取付脚部を介して釣竿に取付けられるリール本体の固定保持状態を安定させることのできる魚釣用リールを提供することを目的とする。
【課題を解決するための手段】
【０００８】
上記目的を達成するため、本発明によると、リール本体と一体成形されたリール取付脚部を有し、このリール取付脚部を介して釣竿に装着される魚釣用リールであって、釣竿の装着部に載置される前記リール取付脚部の底面に、この底面の内側から先端に向けて溝部が形成されている魚釣用リールが提供される。
【０００９】
前記溝部が形成されるリール取付脚部は、釣竿の前後方向に沿って分割形成されていてもよい。
【発明の効果】
【００１０】
本発明の魚釣用リールによると、リール取付脚部の底面に内側から先端に向けて形成された溝部が、成形時の肉厚変化によって生じやすいヒケによる変形を抑制し、これにより、リール取付脚部を釣竿の装着部に確実に取付固定することが可能となり、このリール取付脚部を通して釣竿と一体化されるリール本体の固定保持状態を安定させると共に、このような溝部で軽量化され、魚釣操作性が向上する。
【００１１】
また、リール取付脚部に形成される溝部によって厚肉部の肉取りが可能となるため、釣竿の装着部からリール取付脚部を介してリール本体に伝達される魚信（魚の当たりによる微細な振動）の検知感度が向上する。
【００１２】
このようなリール取付脚部が分割形成される場合には、リール本体の小型化および軽量化を図りながら、釣竿に対する安定した固定保持状態が得られるため、釣竿と共に魚釣用リールを保持しながら行う魚釣り操作の操作性が更に向上する。
【発明を実施するための最良の形態】
【００１３】
図１および図２は、本発明の好ましい実施形態による魚釣用リール１０を示す。  
本実施形態の魚釣用リール１０は、握持した手の掌に包み込んだ状態に保持して操作するパーミング性や親指を用いて釣糸の繰出しを操作するサミング性を容易とする小型の両軸受型手巻きリールとして形成してある。
【００１４】
この魚釣用リール１０は、釣糸が巻回されるスプール１２と、このスプール１２を釣糸巻取方向に回転するハンドル１４とを有する。このスプール１２は、左右に延びるスプール軸１６上に一体的に装着され、このスプール軸１６を介してリール本体１８に回転可能に支持されている。このスプール軸１６は、一対の軸受（図示しない）を介してリール本体１８に回転支持される。
【００１５】
本実施形態のリール本体１８は、左右に延びる複数の連結部材２０ａで左右のディスク状部２０ｂ，２０ｃを一体成形により形成したフレーム２０と、このフレーム２０のディスク状部２０ｂ，２０ｃの外側に、例えば複数のネジで締結された左右の側板２２ａ，２２ｂとを有し、スプール軸１６のそれぞれの端部を、リール本体１８に設けた図示しない軸受で支えている。この右側の側板２２ｂ内には、通常と同様に、スプール軸１６のハンドル１４の回転をスプール１２に伝達する駆動機構と、この駆動機構とスプール１２との間に介挿されて一定限度以上の荷重が釣糸に作用したときにスプール１２を空転させるドラグ機構とが収容されており、操作レバー２４を回転操作することにより、ドラグ力を調整することができる。
【００１６】
また、スプール１２の前方側には、スプール１２上に釣糸を均等に巻回するレベルワインド機構２６が配置されている。このレベルワインド機構２６は、右側の側板２２ｂ内の駆動機構と連動するウォームシャフト２８が、係合子３０を左右に移動することにより、ハンドル１４の回転操作にともなって、釣糸をスプール１２上に均等に巻き取ることができる。符号３２は、スプール１２と駆動機構との間に介挿されたクラッチ機構をオン・オフするクラッチレバーを示し、このクラッチレバー３２を押下げてオフの状態とすると、スプール１２が自由に回転して、釣糸を放出することができる。なお、釣糸放出時のバックラッシュを防止するバックラッシュ防止機構が、例えば左側の側板２２ａ内に設けられている。
【００１７】
このように形成される魚釣用リール１０は、釣竿８に設けられたリール脚装着部８ａに取付けるための前後方向に延びるリール取付脚部３４を有する。本実施形態のリール取付脚部３４は、下部に配置された連結部２０ａを介してフレーム２０に一体成形されており、前後に２分割された前脚部３６と後脚部３８とで形成されている。このリール取付脚部３４を形成する前脚部３６と後脚部３８とは、上述の連結部材２０ａおよびディスク状部２０ｂ，２０ｃと共に、例えばアルミニウム合金又はマグネシウム合金等の軽量金属材料あるいは硬質樹脂材料から金型成形により、一体成形されている。
【００１８】
このリール取付脚部３４を形成する前側脚部３６と後側脚部３８とは、フレーム２０の連結部材２０ａから釣竿８の前方および後方に向けてそれぞれの先端部を延出させ、基端部間に間隙Ｓを形成する。この間隙Ｓは、例えば、フレーム２０の一側に形成された開口部（図示しない）から、このフレーム２０内にスプール１２を装着する際に、スプール１２の端部のフランジ部１２ａ（図２参照）と干渉するのを防止し、このフレーム２０の小型化および軽量化を可能とする。
【００１９】
一方、釣竿８には、リール取付脚部３４を介して、魚釣用リール１０を取付けるための装着部としてリールシート８ａが設けられている。このリールシート８ａは、リール取付脚部３４が載置される取付脚載置面６の後方に、リール取付脚部３４の後側脚部３８の先端部を受入れる固定カバー４を配置し、移動カバー２に前側脚部３６の先端部を受入れる移動カバー２を前方に配置してある。この移動カバー２はリールシート８ａに螺合されており、回動することにより、取付脚載置面６上を固定カバー４に向けて移動し、あるいはこれから離隔することができる。また、このリール取付脚部３４を載置する取付脚載置面６は、平坦形状ではなく、周方向に沿う中央部が外方に突出した中高構造の湾曲面形状を有し、その横断面形状は円弧状に形成される。
【００２０】
このリールシート８ａに魚釣用リール１０を取付ける場合は、リール取付脚部３４の後側脚部３８の先端部を固定カバー内に挿入した状態で、リール取付脚部３４を取付脚載置面６上に載置する。この後、移動カバー２を回転させつつ前側脚部３６の先端部を移動カバー２内に収容して後方に押込み移動させると、リール取付脚部３４は、固定カバー４および移動カバー２間で挟持されつつ取付脚載置面６上に押圧される。これにより、リール取付脚部３４がリールシート６に強固に取付けられる。逆に、移動カバー２をねじ戻してリールシート８ａの前方に移動することにより、釣竿８のリールシート８ａから魚釣用リール１０を取外すことができる。
【００２１】
図３に詳細に示すように、リール取付脚部３４を形成する前側脚部３６と後側脚部３８とは、それぞれ先端に向けて肉厚が次第に減少すると共に、上面３５，３７の長手方向に沿う両側の稜線部を湾曲面で形成した偏平構造を有する。また、リールシート８ａの取付脚載置面６に対向する底面４０，４２は幅方向に沿って略円弧状に凹設した半円筒状の湾曲面形状を有し、それぞれの側縁部４０ａ，４２ａには、幅狭の平坦面が形成されている。この底面４０，４２の湾曲面はリールシート８ａの取付脚載置面６よりも大きな曲率で形成してあり、したがって、取付脚載置面６にリール取付脚部３４を載置したときに、底面４０，４２の幅方向中央部と取付脚載置面６との間に僅かな間隙が形成され、側縁部４０ａ，４２ａはリールシート８ａの取付脚載置面６に確実に当接する。
【００２２】
本実施形態のリール取付脚部３４は、このように形成された底面４０，４２のそれぞれに、基端側である内側から先端に向けて１本の溝部４４を形成してある。この溝部４４は、前側脚部３６と後側脚部３８とのそれぞれの肉厚の厚い基端側の部位に形成してあり、その断面は、底面４０，４２で開口する部位が最も大きくなっている。このような溝部４４を肉厚の大きい部位の底面４０，４２に形成することにより、フレーム２０を金型成形する際に、基端側から先端側に向けて薄肉化するリール取付脚部３４のが成形時の肉厚変化によって生じやすいヒケによる変形を抑制することができる。
【００２３】
このため、フレーム２０と共にリール取付脚部３４を、リールシート８ａの取付脚載置面６、移動カバー２および固定カバー４の形状に適合した極めて正確な形状に形成することができる。このようにリール取付脚部３４の形状が正確に形成されることで、釣竿８の装着部であるリールシート８ａに確実に取付固定することが可能となり、このリール取付脚部３４を通して釣竿８と一体化されるリール本体１８の固定保持状態を安定させると共に、このような溝部４４で軽量化され、魚釣用リール１０の魚釣操作性が向上する。
【００２４】
また、リール取付脚部３４に形成される溝部４４によって前側脚部３６および後側脚部３８の基端側部位の厚肉部の肉取りが可能となるため、魚がヒットしたときに、釣竿８のリールシート８ａからリール取付脚部３４を介してフレーム２０およびリール本体１８に伝達される魚信すなわち魚の当たりによる微細な振動の検知感度が向上する。
【００２５】
図４から図８は、このような溝部の種々の変形例を示す。なお、以下に示す種々の実施形態は基本的には上述の実施形態と同様であるため、同様な部位には同様な符号を付してその詳細な説明を省略する。
【００２６】
図４は、深さを２段に形成し、肉厚の厚い部位により深く形成した第１の変形例による溝部４４ａを示す。この場合には軽量化やリール取付脚部３４のヒケ防止が可能となる。溝部４４ａは肉厚の厚い部位の深さを深くし、肉厚の変化に応じて深さを調節することが可能である。勿論、２段構造以外にも、３段以上に形成し、あるいは段部を設けることなく連続的に変化させてもよい。
【００２７】
図５は、リール取付脚部３４の長さ方向に沿って３本の溝部４４ｂを形成した第２の変形例を示す。この変形例では、各溝部４４ｂの長さおよび溝幅は同じに形成してある。３本に限らず２本あるいは４本以上であってもよい。リール取付脚部３４の幅および肉厚に応じて溝部４４ｂの本数を変更してもよい。
【００２８】
図６は、肉厚のに応じて深さおよび幅を変化させて形成した３本の溝部４４ｃを配置した第３の変形例を示す。図示の変形例では、中央部の溝部４４ｃが最も長く、かつ、幅と深さとの双方も大きく形成してある。
【００２９】
図７は、リール取付脚部３４の底面に傾斜させて複数本の溝部４４ｄを形成した第４の変形例を示す。これらの溝部４４ｄは図示のように等間隔に配置する他、肉厚等の変化に応じて間隔および溝の大きさ（幅、深さ、長さ等）を調節させることもできる。
【００３０】
図８は、互いに交差させた複数の溝部４４ｅを形成した第５の変形例を示す。図示のように２つの溝部４４ｅをＸ字状に交差させるだけでなく、３本以上の溝部４４ｅを交差させてもよい。また、交差する溝部４４ｅは、溝部の長さ、幅、深さが異なるものであってもよい。
【００３１】
このような種々の変形例による溝部４４ａ〜４４ｅをリール取付脚部３４の前側脚部３６および後側脚部３８の底面４０，４２に形成することにより、リール取付脚部３４の成形時における変形が防止されるだけでなく、リール本体１８に全体が軽量化され、操作性が向上する。更に、このように種々の溝部４４，４４ａ〜４４ｅを形成することにより、魚釣用リール１０の外観を向上させることもできる。
【００３２】
上述の実施形態および各変形例では、リール取付脚部３４は、間に間隙Ｓを配置して前側脚部３６と後側脚部３８とに分割形成してあり、これにより、リール本体１８の小型化および軽量化を図りながら、釣竿８に対する安定した固定保持状態が得られるため、釣竿８と共に魚釣用リール１０を保持しながら行う魚釣り操作の操作性が更に向上する。
【００３３】
一方、このようなリール取付脚部３４を形成する前側脚部３６と後側脚部３８とを一体構造とすることも可能である。この場合にも、リール取付脚部３４は溝部４４，４４ａ〜４４ｅにより、リール本体１８の軽量化を図りながら、釣竿８に対する安定した固定保持状態が得られるため、釣竿８と共に魚釣用リール１０を保持しながら行う魚釣り操作の操作性を向上させることができる。
【００３４】
以上、本発明の好ましい実施形態について種々の変形例と共に説明してきたが、本発明は上述の実施形態に限るものではなく、例えば、上述のように直線状の溝部だけでなく、曲線状の溝部あるいは種々の形状の溝部を形成することも可能である。また、リール取付脚部３４に設ける溝部は、上述の実施形態の溝部４４と各変形例の溝部４４ａ〜４４ｅとを種々組合わせることも可能である。
【図面の簡単な説明】
【００３５】
【図１】本発明の好ましい実施形態による魚釣用リールを前方から見た状態説明図。
【図２】図２のＩＩ−ＩＩ線に沿う断面図。
【図３】図１の魚釣用リールのリール取付脚部を示し、(Ａ）は側方から見た状態の図、（Ｂ）および(Ｃ）は（Ａ）のＢ−Ｂ線およびＣ−Ｃ線に沿う図。
【図４】第１の変形例によるリール取付脚部を示し、(Ａ）は側方から見た状態の図、（Ｂ）および(Ｃ）は（Ａ）のＢ−Ｂ線およびＣ−Ｃ線に沿う図。
【図５】第２の変形例によるリール取付脚部を示す図４と同様な説明図。
【図６】第３の変形例によるリール取付脚部を示す図４と同様な説明図。
【図７】第４の変形例によるリール取付脚部を示す図４と同様な説明図。
【図８】第５の変形例によるリール取付脚部を示す図４と同様な説明図。。
【符号の説明】
【００３６】
８…釣竿、８ａ…リールシート、１０…魚釣用リール、１８…リール本体、３４…リール取付脚部、４０，４２…底面、４４，４４ａ，４４ｂ，４４ｃ，４４ｄ，４４ｅ…溝部。
【図１】
2007202453.tif 000003
【図２】
2007202453.tif 000004
【図３】
2007202453.tif 000005
【図４】
2007202453.tif 000006
【図５】
2007202453.tif 000007
【図６】
2007202453.tif 000008
【図７】
2007202453.tif 000009
【図８】
2007202453.tif 000010